(57)【特許請求の範囲】
【請求項１】
生体情報値を測定する医療機器を接続し、該医療機器から得られる医療情報データに基づいて画像を出力する医療情報プリントシステムであって、
前記医療機器を接続する接続手段と、
前記接続手段を介して前記医療機器から得られる医療情報データに基づく医療情報画像を生成する生成手段と、
当該医療情報プリントシステムを使用する操作者を撮影する撮影手段と、
前記撮影手段による撮影画像と前記医療情報画像を１枚の印刷用紙上に印刷する印刷手段と
を備えることを特徴とする医療情報プリントシステム。
【請求項２】
前記印刷手段は、１枚の印刷用紙上に前記撮影画像と前記医療情報画像をそれぞれ独立した位置に印刷する
ことを特徴とする請求項１に記載の医療情報プリントシステム。
【請求項３】
前記印刷用紙は、シール用紙である
ことを特徴とする請求項１に記載の医療情報プリントシステム。
【請求項４】
前記医療情報画像は、前記医療情報データから構築できるグラフ画像である
ことを特徴とする請求項１に記載の医療情報プリントシステム。
【請求項５】
当該医療情報プリントシステムに対し各種指示を行う操作手段と、
前記医療情報画像、あるいは前記撮影手段による撮影画像及び操作メッセージを表示する表示手段と、
音声ガイダンスを出力する音声出力手段と
を更に備えることを特徴とする請求項１に記載の医療情報プリントシステム。
【請求項６】
生体情報値を測定する医療機器を接続し、該医療機器から得られる医療情報データに基づいて画像を出力する医療情報プリントシステムの制御方法であって、
接続部を介して前記医療機器から得られる医療情報データに基づく医療情報画像を生成する生成工程と、
前記医療情報プリントシステムを使用する操作者を撮影する撮影工程と、
前記撮影工程による撮影画像と前記医療情報画像を１枚の印刷用紙上に印刷する印刷工程と
を備えることを特徴とする医療情報プリントシステムの制御方法。
【請求項７】
前記印刷工程は、１枚の印刷用紙上に前記撮影画像と前記医療情報画像をそれぞれ独立した位置に印刷する
ことを特徴とする請求項６に記載の医療情報プリントシステムの制御方法。
【請求項８】
前記印刷用紙は、シール用紙である
ことを特徴とする請求項６に記載の医療情報プリントシステムの制御方法。
【請求項９】
前記医療情報画像は、前記医療情報データから構築できるグラフ画像である
ことを特徴とする請求項６に記載の医療情報プリントシステムの制御方法。
【請求項１０】
生体情報値を測定する医療機器を接続し、該医療機器から得られる医療情報データに基づいて画像を出力する医療情報プリントシステムの制御のプログラムコードが格納されたコンピュータ可読メモリであって、
接続部を介して前記医療機器から得られる医療情報データに基づく医療情報画像を生成する生成工程のプログラムコードと、
前記医療情報プリントシステムを使用する操作者を撮影する撮影工程のプログラムコードと、
前記撮影工程による撮影画像と前記医療情報画像を１枚の印刷用紙上に印刷する印刷工程のプログラムコードと
を備えることを特徴とするコンピュータ可読メモリ。
【発明の詳細な説明】
【０００１】
【発明の属する技術分野】
本発明は、生体情報値を測定する医療機器を接続し、該医療機器から得られる医療情報データに基づいて画像を出力する医療情報プリントシステム及びその制御方法、コンピュータ可読メモリに関するものである。
【０００２】
【従来の技術】
現在、糖尿病患者は６９０万人（１９９８年厚生省推計）いると言われており、今後さらに増加する傾向にある。この糖尿病患者に対する療法としては、食事療法、運動療法、薬物療法、インスリン療法等があるが、いずれの場合においても、各患者ごとの日々の血糖値管理が極めて重要である。
【０００３】
このような血糖値を測定する携帯型の血糖測定器が市販されており、患者個人の血糖値データを市販の端末等に転送し、その端末で各患者毎の血糖値の時間毎の変化や平均値などをグラフ化して表示することができる。つまり、血糖値データに対する患者のトレンドを表示することができる。
【０００４】
【発明が解決しようとする課題】
上記の血糖測定器で管理される血糖値データは、通院先の担当医の端末上で管理することが可能である。しかしながら、この場合は、担当医の端末上で血糖値データが管理されるだけであり、その場で患者自身が血糖値データのトレンドを知りたい場合は、診察時に担当医から見せてもらう以外は、手立てがなかった。このように、患者自身にも容易に血糖値データのトレンドを把握でき、かつ、その血糖値データがだれのものであるかを容易に判別できることが要望されている。
【０００５】
本発明は上記の問題点に鑑みてなされたものであり、患者自身にも容易に血糖値データのトレンドを把握でき、かつ、その血糖値データがだれのものであるかを容易に判別できる医療情報プリントシステム及びその制御方法、コンピュータ可読メモリを提供することを目的とする。
【０００６】
【課題を解決するための手段】
上記の目的を達成するための本発明による医療情報プリントシステムは以下の構成を備える。即ち、
生体情報値を測定する医療機器を接続し、該医療機器から得られる医療情報データに基づいて画像を出力する医療情報プリントシステムであって、
前記医療機器を接続する接続手段と、
前記接続手段を介して前記医療機器から得られる医療情報データに基づく医療情報画像を生成する生成手段と、
当該医療情報プリントシステムを使用する操作者を撮影する撮影手段と、
前記医療情報画像、あるいは前記撮影手段による撮影画像及び操作メッセージを表示する表示手段と、
前記撮影手段による撮影画像と前記医療情報画像を１枚の印刷用紙上に印刷する印刷手段と
を備える。
【０００７】
また、好ましくは、前記印刷手段は、１枚の印刷用紙上に前記撮影画像と前記医療情報画像をそれぞれ独立した位置に印刷する。
【０００８】
また、好ましくは、前記印刷用紙は、シール用紙である。
【０００９】
また、好ましくは、前記医療情報画像は、前記医療情報データから構築できるグラフ画像である。
【００１０】
また、好ましくは、当該医療情報プリントシステムに対し各種指示を行う操作手段と、
前記医療情報画像、あるいは前記撮影手段による撮影画像及び操作メッセージを表示する表示手段と、
音声ガイダンスを出力する音声出力手段と
を更に備える。
【００１１】
上記の目的を達成するための本発明による医療情報プリントシステムの制御方法は以下の構成を備える。即ち、
生体情報値を測定する医療機器を接続し、該医療機器から得られる医療情報データに基づいて画像を出力する医療情報プリントシステムの制御方法であって、
接続部を介して前記医療機器から得られる医療情報データに基づく医療情報画像を生成する生成工程と、
当該医療情報プリントシステムを使用する操作者を撮影する撮影工程と、
前記撮影工程による撮影画像と前記医療情報画像を１枚の印刷用紙上に印刷する印刷工程と
を備える。
【００１２】
上記の目的を達成するための本発明によるコンピュータ可読メモリは以下の構成を備える。即ち、
生体情報値を測定する医療機器を接続し、該医療機器から得られる医療情報データに基づいて画像を出力する医療情報プリントシステムの制御のプログラムコードが格納されたコンピュータ可読メモリであって、
接続部を介して前記医療機器から得られる医療情報データに基づく医療情報画像を生成する生成工程のプログラムコードと、
当該医療情報プリントシステムを使用する操作者を撮影する撮影工程のプログラムコードと、
前記撮影工程による撮影画像と前記医療情報画像を１枚の印刷用紙上に印刷する印刷工程のプログラムコードと
を備える。
【００１３】
【発明の実施の形態】
以下、図面を参照して本発明の好適な実施形態について詳細に説明する。
【００１４】
本発明の概要としては、生体情報値を測定可能な医療機器（尿素測定器、血糖測定器、体脂肪計、血圧計）から出力可能な医療情報データを、医療機関（個人病院、大学病院、基幹病院等）で管理されるパーソナルコンピュータ等の端末に出力し記憶する。また、この端末には、撮影装置とシールプリントが可能な印刷装置が接続され全体で医療情報プリントシステムが構築される。この医療情報プリントシステムは、患者から医療情報データが登録されると、その患者を撮影装置で撮影し、撮影された患者の顔画像と医療情報データから得られる患者に関するトレンド（グラフ等の画像及び数値、患者に関する患者情報）を一枚のシール用紙（以下、これを顔写真付き患者トレンドシートと称する）上に印刷して出力する。この顔写真付き患者トレンドシートにより、患者は、容易に自身の医療情報データに関するトレンドを把握することができ、また、患者に関するトレンドが自身のものであるのか他人のものであるかを容易に判別することができる。また、顔写真付き患者トレンドシートは、シールとなっているので、患者は、ノート等に貼り付けて管理することができ、これを通院毎に行えば、患者はノートを参照するだけで容易に自身に関するトレンドの経緯を把握することができる。
【００１５】
以下の実施形態では、特に、糖尿病治療の大原則である血糖コントロールのための検査に使用するＳＭＢＧ（Self  Monitering  of  Blood  Glucose：患者が自宅で１日に複数回測定する自己測定した血糖値）と呼ばれる簡易血糖測定器で測定された血糖値を医療情報プリントシステムに登録し、顔写真付き患者トレンドシートを出力する例を挙げて説明する。
【００１６】
また、本発明に適用することが可能な糖尿病治療に関する情報以外の医療情報の例としては、尿素値に基づく人工透析のスケジューリング等を管理するための透析治療に関する情報、体脂肪値、血圧値等の測定値に基づく患者の健康状態等を管理するための一般治療に関する情報等がある。
【００１７】
図１は本実施形態の医療情報プリントシステムの構成を示す図である。
【００１８】
図１において、１０１は内部にＣＰＵ、ＲＯＭ、ＲＡＭ、ＲＯＭ等の通常の端末（コンピュータ）の機能を実現するための構成要素（不図示）を有する処理部であり、メインバス１０９を介して医療情報プリントシステム１００全体の制御を実行する。
【００１９】
尚、処理部１０１内のＲＯＭは、ＣＰＵの各種制御を実行する各種制御プログラムを記憶している。ＲＡＭは、ＣＰＵによりＯＳや本発明を実現するための制御プログラムを含むその他の制御プログラムがロードされ実行される。また、制御プログラムを実行するために用いられる各種作業領域、一時待避領域として機能する。また、操作部１０４の操作に応じて生成される画像を、一旦、保持するＶＲＡＭ（不図示）が構成されている。
【００２０】
また、本発明を実現するための制御プログラムを含むその他の制御プログラムを構成するプログラムコードをＣＤ−ＲＯＭ等の記憶媒体に記憶し、これをＲＡＭにロードして実行することも可能である。
【００２１】
１０２は記憶部であり、医療情報プリントシステム１００で管理する各種データを記憶する。１０３はＣＲＴや液晶等から構成される表示部であり、操作部１０４より入力されたデータ、撮影部１０５より入力される画像データ、医療機器２００から入力されたデータ等を、操作部１０４の操作に応じて表示する。
【００２２】
１０４はキーボード、ボタン、レバー等から構成される操作部であり、データの入力の受付、撮影部１０５の撮影、印刷部１０７の印刷等の各種操作を行う。１０５は撮影部であり、医療情報プリントシステム１００の操作者（患者）を撮影する。１０６は音声出力部であり、操作部１０４の操作や、撮影部１０５の撮影手順の指示等の音声を必要に応じて音声を出力する。１０７は印刷部であり、上述したように、医療機器２００から入力された医療情報データと撮影部１０５で撮影された患者の顔写真を一枚の記録用紙（シール用紙）に印刷する機能を有している。また、通常のプリンタで行う各種印刷についても実行できることは言うまでもない。
【００２３】
１０８は外部機器インタフェース（Ｉ／Ｆ）であり、医療情報プリントシステム１００と医療機器２００とを接続し、各種データの送受信制御等を行う。また、外部機器インタフェース（Ｉ／Ｆ）は、医療機器２００に限らず、例えば、イメージスキャナ、記憶装置、ネットワーク回線を介して接続される他の情報処理装置、電話回線を介して接続されるファクシミリ等の各種外部機器を必要に応じて接続することができる。１０９はバスであり、医療情報プリントシステム１００を構成する各種構成要素を相互に接続する。
【００２４】
２００は医療機器であり、本実施形態では、上述の血糖測定器であり、医療情報プリントシステム１００に対し、血糖値データ等の各種医療情報データを送信することができる。
【００２５】
次に、医療情報プリントシステムで実行される処理について、図２を用いて説明する。
【００２６】
図２は本実施形態の医療情報プリントシステムで実行される処理を示すフローチャートである。
【００２７】
まず、ステップＳ１０１で、患者は、医療情報プリントシステム１００の表示部１０３に表示される初期画面（この初期画面には、例えば、医療機器２００の医療情報データの入力を行うためのメニュー等の各種操作を行うためのメニューが用意されており、患者は操作部１０５を操作して各種メニューを選択し、その選択に応じて切り替わる操作メッセージに従って操作を行う）に基づいて、自身の医療機器２００を医療情報プリントシステム１００にセットし、操作部１０４を操作して、医療機器２００に記憶された医療情報データの入力を指示する。医療情報プリントシステム１００は、この指示に従って、医療機器２００から医療情報データを入力する。この時、表示部１０３には、医療情報データの入力状況等が表示部１０３に表示される。
【００２８】
ステップＳ１０２で、処理部１０１は、入力された医療情報データに基づく医療情報画像（グラフ画像、例えば、折れ線グラフ、円グラフ等）を生成する。尚、医療情報画像から簡易診断を行い、その診断内容を最終的に出力されるシール用紙のコメント欄に印刷するようにすることもできる。
【００２９】
ステップＳ１０３で、医療情報プリントシステム１００を操作する患者を撮影部１０５で撮影する。この時の撮影画像は、表示部１０３に表示される。また、同時に、表示部１０３には撮影操作の進行を促す操作メッセージが表示され、音声出力部１０６からは撮影操作の進行を促す音声ガイダンスが出力される。患者はこの操作メッセージと音声ガイダンスに従って、自身の撮影操作を操作部１０４を操作して行う。尚、撮影部１０５の撮影条件（明るさ、ズーム等）は固定値が設定されているが、目的に応じて医療情報プリントシステム１００の管理者が変更することが可能である。
【００３０】
ステップＳ１０４で、表示部１０３に表示された撮影画像の確定の指示が操作部１０４から行われると、処理部１０１は、ステップＳ１０１で生成した医療情報画像と、撮影画像を合成した合成画像を生成する。尚、この合成画像のサイズとしては、例えば、ＶＧＡサイズのビットマップ形式の２４ｂｉｔフルカラーデータであるとする。
【００３１】
ステップＳ１０５で、生成された合成画像を印刷部１０７を介してシール用紙にプリントして、医療情報プリントシステム１００外へ排紙する。尚、このシール用紙のサイズは、例えば、Ｓサイズとする。また、印刷枚数は、デフォルト値として１枚が設定されているが、これも目的に応じて医療情報プリントシステム１００の管理者が変更することが可能である。
【００３２】
次に、医療情報管理システム１００の具体的な装置構成の一例について、図３を用いて説明する。
【００３３】
図３は本実施形態の医療情報管理システムの具体的な装置構成の一例を示す図である。
【００３４】
図３に示すように、１つの筐体において、撮影部（カメラ）１０５、音声出力部（スピーカ）１０６、表示部（モニタ）１０３、操作部（キーボード及びボタン）１０４、外部接続機器Ｉ／Ｆ１０８、外部接続機器Ｉ／Ｆ１０８に接続された医療機器２００等が構成されている。
【００３５】
患者３０２は、医療機器２００を外部接続器Ｉ／Ｆ１０８にセットし、操作部１０４を操作して医療機器２００内の医療情報データを医療情報プリントシステム１００に入力する。入力が完了すると、医療情報プリントシステム１００は、撮影部１０５を起動し、患者３０２を撮影し、その撮影画像を表示部１０３に現在の撮影状況と操作メッセージを表示すると共に、音声出力部１０６から音声ガイダンスを出力する。操作メッセージと音声ガイダンスに従って、患者３０２が操作部１０４を用いて現在の撮影画像に対する確定を指示すると、医療情報プリントシステム１００は、確定時の撮影画像と入力された医療情報データに基づく医療情報画像を合成し、その合成画像を一枚のシール用紙３０１に印刷して排紙口３００から排紙する。
【００３６】
尚、図３の例では、医療情報プリントシステム１００は、１つの筐体で構成されているが、これに限定されず、処理部１０１の機能を実現できる端末を別途用意して、これを医療情報プリントシステムに接続するように構成しても良く、それ以外にも、各種構成要素を別々に分離した複数の機器からなる医療情報プリントシステムを構成しても良い。
【００３７】
次に、医療情報管理システム１００から出力されるシール用紙の一例について、図４を用いて説明する。
【００３８】
図４は本実施形態の医療情報管理システム１００から出力されるシール用紙の例を示す図である。
【００３９】
図４に示すように、一枚のシール用紙上に、医療機器２００から得られる医療情報データに基づくグラフ画像４０１と、医療情報プリントシステム１００で撮影された患者の顔画像４００がそれぞれ独立した位置に印刷される。また、これ以外に、患者に関する患者情報（氏名等）や、印刷日付、コメント欄として、簡易診断結果が印刷される。
【００４０】
また、この一例以外にも、必要に応じて各種医療情報データに基づく医療情報画像を印刷したり、患者自身が用意してきた画像を取り込んで印刷するようにしても良い。
【００４１】
以上説明したように、本実施形態によれば、患者は、容易に自身の医療情報データに関するトレンドを把握することができ、また、患者に関するトレンドが自身のものであるのか他人のものであるかを容易に判別することができる。
【００４２】
上述の内容は、本発明の一実施形態を説明したに過ぎず、本発明の範囲及び精神から逸脱しない範囲で当業者によって、変形かつ／あるいは変更が実行されることは言うまでもない。
【００４３】
【発明の効果】
以上説明したように、本発明によれば、患者自身にも容易に血糖値データのトレンドを把握でき、かつ、その血糖値データがだれのものであるかを容易に判別できる医療情報プリントシステム及びその制御方法、コンピュータ可読メモリを提供できる。
【図面の簡単な説明】
【図１】本実施形態の医療情報プリントシステムの構成を示す図である。
【図２】本実施形態の医療情報プリントシステムで実行される処理を示すフローチャートである。
【図３】本実施形態の医療情報管理システムの具体的な装置構成の一例を示す図である。
【図４】本実施形態の医療情報管理システム１００から出力されるシール用紙の例を示す図である。
【符号の説明】
１００  医療情報プリントシステム
１０１  処理部
１０２  記憶部
１０３  表示部
１０４  操作部
１０５  撮影部
１０６  音声出力部
１０７  印刷部
１０８  外部機器Ｉ／Ｆ
１０９  バス
２００  医療機器
【図１】
0004477189.tif 000002
【図２】
0004477189.tif 000003
【図３】
0004477189.tif 000004
【図４】
0004477189.tif 000005